(57)【要約】【課題】製造装置の小型化および製造効率の向上が可能な電力ケーブル、及び、電力ケーブルの製造方法を提供すること。【解決手段】電力ケーブル（１１）は、複数の絶縁線心（２１）及び介在物（２２）が交互撚りされた線心撚体（１２）と、線心撚体の周りに巻きつけられた保持糸（１３）と、線心撚体及び保持糸の周りを覆うシース（１４）と、を備える。介在物（２２）は、紙テープ（ＰＴ）が長手方向に延びる複数の折り目に沿って折り曲がることによって紐状に絞られている紐状紙である。【選択図】図１
2017103176.tif 000002
【特許請求の範囲】
【請求項１】
複数の絶縁線心及び介在物が交互撚りされた線心撚体と、前記線心撚体の周りに巻きつけられた保持糸と、前記線心撚体及び前記保持糸の周りを覆うシースと、を備えた電力ケーブルであって、
前記介在物は、
紙テープが長手方向に延びる複数の折り目に沿って折り曲がることによって紐状に絞られている紐状紙である、
電力ケーブル。
【請求項２】
請求項１に記載の電力ケーブルにおいて、
前記保持糸は、
前記線心撚体の周りに螺旋状に巻かれており且つ螺旋ピッチ長が前記線心撚体の直径の１〜３倍である、
電力ケーブル。
【請求項３】
複数の絶縁線心及び介在物が交互撚りされた線心撚体と、前記線心撚体の周りに巻きつけられた保持糸と、前記線心撚体及び前記保持糸の周りを覆うシースと、を備えた電力ケーブルの製造方法であって、
前記介在物として、紙テープを長手方向に延びる複数の折り目に沿って折り曲げることによって紐状に絞り、紐状紙を形成する工程と、
前記複数の絶縁線心と前記介在物とを交互撚りして前記線心撚体を形成する工程と、
前記線心撚体の周りに前記保持糸を巻き付ける工程と、
前記線心撚体及び前記保持糸の周りにシースを形成する工程と、を備えた、
電力ケーブルの製造方法。
【請求項４】
請求項３に記載の電力ケーブルの製造方法において、
前記保持糸を巻き付ける工程において、前記保持糸を前記線心撚体の周りに螺旋状に且つ螺旋ピッチ長が前記線心撚体の直径の１〜３倍であるように巻き付ける、
電力ケーブルの製造方法。
【請求項５】
請求項３又は請求項４に記載の電力ケーブルの製造方法において、
前記紐状紙を形成する工程が、
前記紙テープを、入口側開口部の開口面積よりも出口側開口部の開口面積が小さい筒形状を有するテープ絞りノズルを通過させることにより、前記紙テープを幅方向に絞った集約紙テープを形成する工程と、
前記集約紙テープを対向する２つのローラの間を通過させることにより、前記紐状紙を形成する工程と、を含む、
電力ケーブルの製造方法。
【請求項６】
請求項３〜請求項５の何れか一項に記載の電力ケーブルの製造方法において、
前記紙テープが、クラフト紙から形成されている、
電力ケーブルの製造方法。
【発明の詳細な説明】
【技術分野】
【０００１】
本発明は、電力ケーブル及び電力ケーブルの製造方法に関する。
【背景技術】
【０００２】
従来から、複数の絶縁線心を撚り合わせた電力ケーブルが提案されている。例えば、従来の電力ケーブルの一つ（以下「従来ケーブル」という。）は、複数の絶縁線心を撚り合わせて線心撚体を形成した後、その線心撚体を覆うように樹脂層を設け、その樹脂層を覆うようにシースを形成するようになっている。この従来ケーブルの樹脂層は、介在物としての機能と、絶縁線心の撚りを保持する保持体としての機能と、を担っている（例えば、特許文献１参照）。
【先行技術文献】
【特許文献】
【０００３】
【特許文献１】特許第３９６２１７２号公報
【発明の概要】
【発明が解決しようとする課題】
【０００４】
上述した従来ケーブルにおいては複数の絶縁線心を撚り合わせる具体的手法は特定されていないものの、複数の絶縁線心を撚り合わせる際、例えば、線心撚体の製造に関する設備の一部を一方向に回転させることにより、複数の絶縁線心を螺旋状に撚り合わせる（即ち、Ｓ撚り又はＺ撚りの一方向撚りを行う）場合がある。一方向撚りを行う場合、例えば、撚り合わせ前の絶縁線心が巻き付けられたリール自体を回転させる構造、撚り合わされた線心撚体をリールと共に回転させる構造、又は、弓状の設備構成部品を回転させる構造などを要する。そのため、電力ケーブルの製造装置が大型化する。
【０００５】
更に、従来ケーブルを製造する際には、樹脂層を絶縁線心の周りに押出成形する工程と、樹脂層の周りにシースを押出成形する工程と、の２つの押出成形工程が必要となる。そのため、電力ケーブルの製造工程が煩雑となり、製造効率を高めにくい。
【０００６】
本発明は、上述した事情に鑑みてなされたものであり、その目的は、製造装置の小型化および製造効率の向上が可能な電力ケーブル、及び、電力ケーブルの製造方法を提供することにある。
【課題を解決するための手段】
【０００７】
前述した目的を達成するために、本発明に係る電力ケーブルは、下記（１）及び（２）を特徴としている。
（１）
複数の絶縁線心及び介在物が交互撚りされた線心撚体と、前記線心撚体の周りに巻きつけられた保持糸と、前記線心撚体及び前記保持糸の周りを覆うシースと、を備えた電力ケーブルであって、
前記介在物は、
紙テープが長手方向に延びる複数の折り目に沿って折り曲がることによって紐状に絞られている紐状紙である、
電力ケーブルであること。
（２）
上記（１）に記載の電力ケーブルにおいて、
前記保持糸は、
前記線心撚体の周りに螺旋状に巻かれており且つ螺旋ピッチ長が前記線心撚体の直径の１〜３倍である、
電力ケーブルであること。
【０００８】
上記（１）の構成の電力ケーブルによれば、介在物が紐状紙であり、線心撚体を保持する撚り保持材が保持糸である。そのため、従来ケーブルのように介在物（樹脂層）を押出成形する必要がない。これにより、樹脂を押出成形する工程を少なくすることができ、電力ケーブルの製造効率を高めることができる。更に、介在物は、単なる紙テープではなく、長手方向に延びる複数の折り目に沿って折り曲がることによって紐状に絞られた紐状紙である。そのため、従来ケーブルの介在物（樹脂）に代えて紙製の介在物（紐状紙）を用いても、絶縁線心と介在物（紐状紙）とを撚り合わせる際に介在物が破断することがない。加えて、絶縁線心および介在物を交互撚りする（即ち、ＳＺ撚りを行う）装置は、一般に、一方向撚りを行う（即ち、Ｓ撚り又はＺ撚りを行う）装置に比べて小型である。そのため、電力ケーブルの製造装置を小型化できる。
【０００９】
したがって、本構成の電力ケーブルは、製造装置の小型化および製造効率の向上が可能である。
【００１０】
上記（２）の構成の電力ケーブルによれば、保持糸のピッチ（螺旋ピッチ長）を線心撚体の直径の１〜３倍としたことにより、保持糸を過剰に使用することなく線心撚体を十分な保持力で保持できる。具体的には、発明者が行った試験等（詳細は後述される。）によれば、保持糸の螺旋ピッチ長が線心撚体の直径の３倍よりも大きい場合、線心撚体が撚り合わされた状態を保持する力が弱まり、線心撚体のピッチ長（撚り合わせピッチ長）が設計値よりも拡大した状態となる。この場合、過度に撚り合わせピッチ長が拡大すると、設計上の品質を十分に満足できないため好ましくない。一方、保持糸の螺旋ピッチ長が線心撚体の直径の３倍以下である場合、設計上の品質を満たす観点において十分な程度に、撚り合わせピッチ長が保持される。しかし、螺旋ピッチ長を線心撚体の直径の１倍よりも小さくしても、線心撚体の保持性に実質的な向上がない。よって、保持糸の螺旋ピッチ長を線心撚体の１〜３倍とすることにより、線心撚体の保持性の向上と、保持糸の巻き付けに係るコストの低減と、を両立できる。
【００１１】
更に、上述した目的を達成するために、本発明に係る電力ケーブルの製造方法は、下記（３）〜（６）を特徴としている。
（３）
複数の絶縁線心及び介在物が交互撚りされた線心撚体と、前記線心撚体の周りに巻きつけられた保持糸と、前記線心撚体及び前記保持糸の周りを覆うシースと、を備えた電力ケーブルの製造方法であって、
前記介在物として、紙テープを長手方向に延びる複数の折り目に沿って折り曲げることによって紐状に絞り、紐状紙を形成する工程と、
前記複数の絶縁線心と前記介在物とを交互撚りして前記線心撚体を形成する工程と、
前記線心撚体の周りに前記保持糸を巻き付ける工程と、
前記線心撚体及び前記保持糸の周りにシースを形成する工程と、を備えた、
電力ケーブルの製造方法であること。
（４）
上記（３）に記載の電力ケーブルの製造方法において、
前記保持糸を巻き付ける工程において、前記保持糸を前記線心撚体の周りに螺旋状に且つ螺旋ピッチ長が前記線心撚体の直径の１〜３倍であるように巻き付ける、
電力ケーブルの製造方法であること。
（５）
上記（３）又は上記（４）に記載の電力ケーブルの製造方法において、
前記紐状紙を形成する工程が、
前記紙テープを、入口側開口部の開口面積よりも出口側開口部の開口面積が小さい筒形状を有するテープ絞りノズルを通過させることにより、前記紙テープを幅方向に絞った集約紙テープを形成する工程と、
前記集約紙テープを対向する２つのローラの間を通過させることにより、前記紐状紙を形成する工程と、を含む、
電力ケーブルの製造方法であること。
（６）
上記（３）〜上記（５）の何れか一項に記載の電力ケーブルの製造方法において、
前記紙テープが、クラフト紙から形成されている、
電力ケーブルの製造方法であること。
【００１２】
上記（３）の構成の電力ケーブルの製造方法によれば、上記（１）と同様、介在物が紐状紙であり、線心撚体を保持する撚り保持材が保持糸であるため、従来ケーブルのように介在物（樹脂層）を押出成形する必要がない。更に、介在物が単なる紙テープではなく紐状紙であるため、絶縁線心と介在物（紐状紙）とを撚り合わせる際に介在物が破断することがない。加えて、絶縁線心および介在物を交互撚りする（即ち、ＳＺ撚りを行う）ため、電力ケーブルの製造装置を小型化できる。
【００１３】
したがって、本構成の電力ケーブルの製造方法は、製造装置の小型化および製造効率の向上が可能である。
【００１４】
上記（４）の構成の電力ケーブルの製造方法によれば、上記（２）と同様、保持糸を過剰に使用することなく線心撚体を十分な保持力で保持できる。
【００１５】
上記（５）の構成の電力ケーブルの製造方法によれば、電力ケーブルの線心撚体を交互撚り（ＳＺ撚り）にて形成する際に破断することがない十分な強度を有する紐状紙を形成できる。
【００１６】
上記（６）の構成の電力ケーブルの製造方法によれば、介在物の原材料として収縮性に欠けるクラフト紙を用いても、線心撚体の形成過程にて破断し難い介在物を形成できる。具体的には、クラフト紙は、一般に、クレープ紙（皺を形成する加工を施された紙）に比べて安価であるものの、クレープ紙よりも収縮性に欠けるため引張応力下において破断し易い。しかし、本構成の製造方法によれば、クラフト紙を用いて紐状紙（介在物）を形成した後、その紐状紙（介在物）を用いて線心撚体を形成する。そのため、クラフト紙を用いても線心撚体の形成時に介在物が破断することがない。よって、介在物の原価（ひいては電力ケーブルの製造コスト）を低減できる。
【発明の効果】
【００１７】
本発明によれば、製造装置の小型化および製造効率の向上が可能な電力ケーブル、及び、電力ケーブルの製造方法を提供できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】図１は、本実施形態に係る電力ケーブルにおけるシースの一部を取り除いた状態の側面図である。
【図２】図２は、本実施形態に係る電力ケーブルの内部構成を示す図であって、図２（ａ）は断面図、図２（ｂ）は図２（ａ）におけるＡ部拡大図である。
【図３】図３は、電力ケーブルを製造する製造装置の概略構成図である。
【図４】図４は、電力ケーブルを製造する製造装置を構成する紙テープ加工部の概略構成図である。
【発明を実施するための形態】
【００２０】
以下、図面を参照しながら、本発明に係る電力ケーブル及び電力ケーブルの製造方法の実施の形態について説明する。
【００２１】
＜電力ケーブルの構成＞
図１及び図２（ａ），（ｂ）に示すように、本実施形態に係る電力ケーブル１１は、線心撚体１２と、保持糸１３と、シース１４とを備えている。
【００２２】
線心撚体１２は、複数の絶縁線心２１と、介在物２２とから構成されている。絶縁線心２１は、導体の外周を絶縁体で被覆した電線である。なお、絶縁線心２１は、例えば、２〜４本の電線を含んでいる。本例では、線心撚体１２は、３本の絶縁線心２１を備えている。介在物２２は、紙テープが長手方向に延びる複数の折り目に沿って折り曲がることによって紐状に絞られた紐状紙により、形成されている。なお、介在物２２を構成する紐状紙の数（本数）は特に制限されない。
【００２３】
線心撚体１２は、複数の絶縁線心２１と介在物２２とが交互撚りされて（即ち、ＳＺ撚りが行われて）束ねられている。具体的には、線心撚体１２は、複数の絶縁線心２１と介在物２２とを、一方向（Ｓ方向）への撚り及び他方向（Ｚ方向）への撚りを交互に繰り返すことによって交互撚りし（ＳＺ撚りを行い）、一つの線心撚体１２として束ねられている。これにより、線心撚体１２は、長手方向に沿って、Ｓ撚り部Ｔｓ及びＺ撚り部Ｔｚが交互に設けられた状態となっている。本例において、線心撚体１２は、Ｓ撚り部Ｔｓ及びＺ撚り部Ｔｚの長手方向の長さが同一であるように設計されている。なお、線心撚体１２を構成する一線心（複数の絶縁線心２１のうちの一つの線心）が１回転する際に進む長手方向の距離は、「撚り合わせピッチ長」と称呼される。
【００２４】
線心撚体１２の周りには、保持糸１３が巻き付けられている。保持糸１３は、後述する保持糸巻付部４４によって線心撚体１２に巻き付ける際の遠心力によって作用する張力に耐え得る強度を有しており、例えば、ポリエステルやナイロンなどの耐熱性に優れた高強度繊維から構成されている。保持糸１３は、線心撚体１２の周りに螺旋状に巻かれており、その螺旋ピッチ長Ｐが線心撚体１２の直径Ｄの１〜３倍となっている。このように巻かれた保持糸１３により、線心撚体１２の撚り合わせピッチ長が、線心撚体１２の設計上の品質を満たす観点において十分な程度に保持されている（詳細は後述される。）。線心撚体１２に巻き付ける保持糸１３は、１本でも良く、２本以上でも良い。
【００２５】
線心撚体１２及び保持糸１３は、その周囲がシース１４によって覆われている。シース１４は、例えば、塩化ビニルなどの合成樹脂から形成される。シース１４は、外周に保持糸１３が巻かれた線心撚体１２の外周に押出成形されることにより、線心撚体１２の周りを覆っている。これにより、線心撚体１２及び保持糸１３がシース１４によって保護されている。
【００２６】
図２（ａ）のＡ部の部分拡大図である図２（ｂ）に示すように、絶縁線心２１とシース１４とは少なくとも一部において密着している。換言すると、絶縁線心２１とシース１４との間に介在物２２が存在しない箇所が存在する。これにより、絶縁線心２１とシース１４との間に介在物２２が存在する場合（例えば、従来ケーブル）に比べ、電力ケーブル１１を小径化できる。また、法規制などによって線心撚体１２の外径に対するシース１４の厚さが定められている場合、線心撚体１２の外径が小さくなる分、シース１４の外径を小さくできるため、シース１４を形成するための材料の使用量（材料コスト、ひいては電力ケーブル１１の製造コスト）を低減できる。
【００２７】
＜製造装置＞
次いで、上記の電力ケーブル１１を製造する製造装置について説明する。
【００２８】
図３は、電力ケーブル１１を製造する製造装置の概略構成図である。図４は、電力ケーブルを製造する製造装置を構成する紙テープ加工部の概略構成図である。
【００２９】
図３に示すように、電力ケーブル１１を製造する製造装置４０は、絶縁線心供給部４１及び紙テープ加工部４２を備えている。絶縁線心供給部４１は一般的なリール等であり、絶縁線心供給部４１から複数の絶縁線心２１が繰り出される。紙テープ加工部４２（図４を参照。）から、紙テープが後述するように加工された紐状紙（介在物２２）が繰り出される。
【００３０】
絶縁線心供給部４１及び紙テープ加工部４２の下流側には、ＳＺ撚り部４３が設けられている。ＳＺ撚り部４３には、絶縁線心供給部４１から繰り出される複数の絶縁線心２１及び紙テープ加工部４２から繰り出される介在物２２が送り込まれる。ＳＺ撚り部４３は、一般的なＳＺ撚り機構を有し、複数の絶縁線心２１と介在物２２とを交互撚り（ＳＺ撚り）にて撚り合わせ、線心撚体１２を形成するようになっている。
【００３１】
ＳＺ撚り部４３の下流側には、保持糸巻付部４４及びシース形成部４５が順に設けられている。保持糸巻付部４４は、一般的な巻き付け機構を有し、ＳＺ撚り部４３から送り込まれる線心撚体１２の周りに保持糸１３を螺旋状に巻き付ける。シース形成部４５は、一般的なシース形成機構を有し、保持糸１３が巻き付けられた線心撚体１２の周囲を覆うようにシース１４を形成する。
【００３２】
紙テープ加工部４２についてより詳細に説明すると、図４に示すように、紙テープ加工部４２は、複数のリール５１と、テープ絞りノズル５２と、一対の形成ローラ５３ａ，５３ｂと、を備えている。複数のリール５１には、紐状紙（介在物２２）の原反である紙テープＰＴが巻回されており、これらリール５１からテープ絞りノズル５２へ紙テープＰＴが繰り出される。リール５１は、紙テープＰＴが繰り出されることで、所定方向（図４の矢印Ｂ方向）へ回転される。紙テープＰＴは、クラフト紙から形成されている。なお、図４では２つの紙テープＰＴが紐状糸（介在物２２）の原反として例示されているが、紙テープＰＴの数は、２以上であってもよく、紐状糸（介在物２２）に求められる強度および柔軟性等を考慮して適宜定められ得る。
【００３３】
テープ絞りノズル５２は、入口側開口部５２ａと、入口側開口部５２ａよりも開口面積が小さい出口側開口部５２ｂと、を有する筒形状を有している。このような筒形状を有することにより、入口側開口部５２ａからテープ絞りノズル５２に入った紙テープＰＴは、テープ絞りノズル５２の内部にて幅方向に徐々に絞られ（例えば、幅方向に丸まるように潰され）、出口側開口部５２ｂの開口面積に対応する太さの集約紙テープＳＰＴに加工される。
【００３４】
更に、集約紙テープＳＰＴは、形成ローラ５３ａ，５３ｂへ向けて送り出される。形成ローラ５３ａ，５３ｂは、互いに対向する位置に配置されており、それぞれ逆方向（図４中矢印Ｃ方向）へ回転する。形成ローラ５３ａ，５３ｂは、テープ絞りノズル５２から送り出された集約紙テープＳＰＴを挟持した状態にて回転し、集約紙テープＳＰＴを押し潰すことによって紐状紙（介在物２２）を形成する。このように形成される紐状紙（介在物２２）は、原反である紙テープＰＴの長手方向に延びる複数の折り目に沿って折り曲がることによって紐状に絞られた形状を有している。
【００３５】
一対の形成ローラ５３ａ，５３ｂは、上側の形成ローラ５３ａが、クロムメッキが施された金属製であり、下側の形成ローラ５３ｂが、ウレタンゴム等の樹脂製である。上側の形成ローラ５３ａは、エアシリンダ等の駆動手段によって昇降される。そして、この上側の形成ローラ５３ａが下降されることで、テープ絞りノズル５２から送り出された集約紙テープＳＰＴが形成ローラ５３ａ，５３ｂで挟み込まれて送り出される。下側の形成ローラ５３ｂが高摩擦材料の樹脂製であるため、集約紙テープＳＰＴの滑りを抑制することができ、介在物２２を下流へ円滑に供給できる。なお、集約紙テープＳＰＴの滑りが電力ケーブル１１の製造上無視できる程度に軽微であれば、形成ローラ５３ａ，５３ｂは、いずれも金属製とし得る。
【００３６】
そして、紙テープ加工部４２から送り出された紐状紙（介在物２２）が、ＳＺ撚り部４３方向（図４の矢印Ｄ方向）へ向かう。
【００３７】
＜製造方法＞
次いで、上記の製造装置４０を用いた電力ケーブル１１の製造方法について説明する。
【００３８】
（紙テープ形成工程）
紙テープ加工部４２において、複数のリール５１から紙テープＰＴを繰り出し、これらの紙テープＰＴをテープ絞りノズル５２で幅方向に折り曲がるように集約する。さらに、テープ絞りノズル５２によって集約した集約紙テープＳＰＴを、形成ローラ５３ａ，５３ｂによって押し潰し、紐状紙からなる介在物２２を形成する。
【００３９】
（線心撚体形成工程）
絶縁線心供給部４１から繰り出される複数の絶縁線心２１と、紙テープ加工部４２から繰り出される介在物２２と、をＳＺ撚り部４３によって交互撚り（ＳＺ撚り）にて撚り合わせる。これにより、長手方向に沿ってＳ撚り部Ｔｓ及びＺ撚り部Ｔｚが交互に設けられた交互撚りの線心撚体１２を形成する。その後、ＳＺ撚り部４３で形成した交互撚りの線心撚体１２の周りに、保持糸巻付部４４によって保持糸１３を所定の螺旋ピッチ長Ｐによって螺旋状に巻き付ける。
【００４０】
（シース形成工程）
シース形成部４５により、線心撚体１２及び保持糸１３の周りにシース１４を押出成形によって形成する。
【００４１】
上述した紙テープ形成工程、線心撚体形成工程及びシース形成工程を経て、複数の絶縁線心２１と介在物２２とが交互撚りされた線心撚体１２の周りに保持糸１３が巻きつけられると共にその周りがシース１４で覆われた電力ケーブル１１が得られる。
【００４２】
以上に説明したように、本実施形態に係る電力ケーブル及び電力ケーブルの製造方法によれば、介在物２２が紐状紙であり、線心撚体１２を保持する撚り保持材が保持糸１３であるため、従来ケーブルのように樹脂からなる介在物を押出成形する必要がない。そのため、樹脂の押出成形による製造工程を減らすことができ、電力ケーブル１１の製造効率を高めることができる。更に、介在物２２は、単なる紙テープではなく、長手方向に延びる複数の折り目に沿って折り曲がることによって紐状に絞られた紐状紙であるため、絶縁線心２１との撚り合わせの際に破断することがない。加えて、絶縁線心２１と介在物２２とを交互撚り（ＳＺ撚り）する装置は一般に一方向撚り（Ｓ撚り又はＺ撚り）する装置に比べて小型であるため、装置を小型化できる。
【００４３】
更に、従来ケーブル（樹脂からなる介在物を押出成形すると共にその外側に樹脂からなるシースを押出成形したケーブル）と比べ、本実施形態の電力ケーブル１１は、線心撚体１２の絶縁線心２１にシース１４が直接接触する構造を有する（図２（ｂ）参照）。換言すると、絶縁線心２１とシース１４との間に樹脂製の介在物が存在しない。よって、電力ケーブル１１の小径化を図ることができる。
【００４４】
ここで、発明者は、異なる螺旋ピッチ長Ｐで線心撚体１２に保持糸１３を巻回した際の線心撚体１２の保持状態を確認する試験を行った。具体的には、線心撚体１２の設計上の撚り合わせピッチ長（換言すると、ＳＺ撚り部４３から送出された時点での保持糸１３の巻き付け前の線心撚体１２の撚り合わせピッチ長）と、保持糸１３が巻き付けられた後の線心撚体１２の実際の撚り合わせピッチ長（換言すると、保持糸巻付部４４から送出された線心撚体１２の撚り合わせピッチ長）と、に関し、螺旋ピッチ長Ｐが異なる複数のサンプルについて、直径Ｄ、螺旋ピッチ長Ｐ、直径Ｄに対する螺旋ピッチ長Ｐの比（Ｐ／Ｄ比）、及び、撚り合わせピッチ長の実際値を測定・算出した。
【００４５】
更に、保持糸１３が巻き付けられた後の線心撚体１２（ひいては電力ケーブル１１）が設計上の品質をどの程度満たしているかの観点から、Ａ〜Ｃの３段階にて評価した。本評価において、評価Ａは設計上の品質を十分に満たしている（例えば、所定の評価値が基準値ａを超える）ことを表し、評価Ｂは設計上の品質を満たしている（例えば、同評価値が基準値ａ以下であり基準値ｂ以上である）ことを表し、評価Ｃは品質が若干劣る（例えば、同評価値が基準値ｂ以下である）ことを表す。但し、評価Ｃの場合であっても、本実施形態に係る電力ケーブル１１は製造可能であり、上述した従来ケーブルに対する優位性に問題はない。なお、上記評価値として、例えば、撚り合わせピッチ長の設計値と実際値との相違の小ささ等が用いられ得る。
【００４６】
上述した試験の結果を、以下の表１に示す。
【００４７】
【表１】
2017103176.tif 000003
【００４８】
表１に示すように、発明者が行った試験の結果、サンプル番号８〜１０のようにＰ／Ｄ比が３よりも大きい場合（即ち、保持糸１３の螺旋ピッチ長Ｐが線心撚体１２の直径Ｄの３倍よりも大きい場合）、撚り合わせピッチ長の設計値に対して実際値がやや大きい状態となることが確認された。この場合、サンプル番号８〜１０は、サンプル番号１〜７に比べて品質の点で若干劣ること（評価Ｃ）が確認された。
【００４９】
一方、サンプル番号１〜７のようにＰ／Ｄ比が３以下である場合（即ち、保持糸１３の螺旋ピッチ長Ｐを線心撚体１２の直径Ｄの３倍以下とした場合）、撚り合わせピッチ長の設計値と実際値との相違が小さく、設計上の品質を満たす観点において十分な程度に、線心撚体１２が撚り合わされた状態が保持されることが確認された。更に、サンプル番号１〜４と、サンプル番号５〜７と、の比較から明らかなように、Ｐ／Ｄ比が１に近付くほど、撚り合わせピッチ長の設計値と実際値との相違が小さくなり、線心撚体１２の保持性が向上することが確認された。しかし、サンプル番号１〜４のようにＰ／Ｄ比を１より小さくしても（即ち、螺旋ピッチ長Ｐを線心撚体の直径の１倍よりも小さくしても）、線心撚体１２の保持性に実質的な向上がないことも確認された。
【００５０】
なお、発明者は、直径Ｄを表１に示す値（１０．０ｍｍ）とは異なる値に変更した複数のサンプルについても同様の試験を行った。その結果、表１に示す結果と同様、Ｐ／Ｄ比が３以下の場合には撚り合わせピッチ長の設計値と実際値との相違が小さく（評価Ａ又は評価Ｂであり）、Ｐ／Ｄ比が１より小さい場合には線心撚体１２の保持性に実質的な向上がないことが確認された。
【００５１】
以上の試験結果から、保持糸１３の螺旋ピッチ長Ｐを線心撚体１２の直径Ｄの１〜３倍とすることにより、線心撚体１２の保持性の向上と、保持糸１３の巻き付けに係るコストの低減と、を両立できることが明らかとなった。
【００５２】
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
ここで、上述した本発明に係る電力ケーブル及び電力ケーブルの製造方法の実施形態の特徴をそれぞれ以下（１）〜（６）に簡潔に纏めて列記する。
（１）
複数の絶縁線心（２１）及び介在物（２２）が交互撚りされた線心撚体（１２）と、前記線心撚体の周りに巻きつけられた保持糸（１３）と、前記線心撚体及び前記保持糸の周りを覆うシース（１４）と、を備えた電力ケーブル（１１）であって、
前記介在物（２２）は、
紙テープ（ＰＴ）が長手方向に延びる複数の折り目に沿って折り曲がることによって紐状に絞られている紐状紙である、
電力ケーブル（１１）。
（２）
上記（１）に記載の電力ケーブルにおいて、
前記保持糸（１３）は、
前記線心撚体（１２）の周りに螺旋状に巻かれており且つ螺旋ピッチ長（Ｐ）が前記線心撚体（１２）の直径の１〜３倍である、
電力ケーブル（１１）。
（３）
複数の絶縁線心（２１）及び介在物（２２）が交互撚りされた線心撚体（１２）と、前記線心撚体の周りに巻きつけられた保持糸（１３）と、前記線心撚体及び前記保持糸の周りを覆うシース（１４）と、を備えた電力ケーブル（１１）の製造方法であって、
前記介在物（２２）として、紙テープ（ＰＴ）を長手方向に延びる複数の折り目に沿って折り曲げることによって紐状に絞り、紐状紙を形成する工程と、
前記複数の絶縁線心と前記介在物（２２）とを交互撚りして前記線心撚体（１２）を形成する工程と、
前記線心撚体（１２）の周りに前記保持糸（１３）を巻き付ける工程と、
前記線心撚体（１２）及び前記保持糸（１３）の周りにシース（１４）を形成する工程と、を備えた、
電力ケーブルの製造方法。
（４）
上記（３）に記載の電力ケーブルの製造方法において、
前記保持糸（１３）を巻き付ける工程において、前記保持糸（１３）を前記線心撚体（１２）の周りに螺旋状に且つ螺旋ピッチ長が前記線心撚体（１２）の直径の１〜３倍であるように巻き付ける、
電力ケーブルの製造方法。
（５）
上記（３）又は上記（４）に記載の電力ケーブルの製造方法において、
前記紐状紙を形成する工程が、
前記紙テープ（ＰＴ）を、入口側開口部（５２ａ）の開口面積よりも出口側開口部（５２ｂ）の開口面積が小さい筒形状を有するテープ絞りノズル（５２）を通過させることにより、前記紙テープ（ＰＴ）を幅方向に絞った集約紙テープ（ＳＰＴ）を形成する工程と、
前記集約紙テープ（ＳＰＴ）を対向する２つのローラの間を通過させることにより、前記紐状紙（２２）を形成する工程と、を含む、
電力ケーブルの製造方法。
（６）
上記（３）〜上記（５）の何れか一項に記載の電力ケーブルの製造方法において、
前記紙テープ（ＰＴ）が、クラフト紙から形成されている、
電力ケーブルの製造方法。
【符号の説明】
【００５４】
１１  電力ケーブル
１２  線心撚体
１３  保持糸
１４  シース
２１  絶縁線心
２２  介在物（紐状紙）
Ｄ    直径
Ｐ    螺旋ピッチ長
ＰＴ  紙テープ
【図１】
2017103176.tif 000004
【図２】
2017103176.tif 000005
【図３】
2017103176.tif 000006
【図４】
2017103176.tif 000007